(57)【要約】【課題】タイマ調理の実行時間を表示する手段のコストを抑制すると共に、タイマ調理の実行時間の設定を容易にしたタイマ装置を備えた加熱調理器を提供する。【解決手段】操作パネル１４に、グリル３によるタイマ調理運転の実行時間の選択時間（１分，３分，６分，９分）に応じた個数の単灯タイプのＬＥＤ（１分ＬＥＤ２１，３分ＬＥＤ２２，６分ＬＥＤ２３，９分ＬＥＤ２４）と、グリルスイッチ１９とを設けて、グリルスイッチ１９が操作されるごとにタイマ調理運転の実行時間の設定を、「９分」→「タイマ調理運転解除」→「１分」→「３分」→「６分」→…、と切換えて該実行時間を初期値として調理タイマの減算計時を開始し、該操作により設定された実行時間に対応したＬＥＤを点灯すると共に、タイマ調理運転の実行中は、調理タイマの計時時間が前記各選択時間に至った時に、該至った選択時間に対応したＬＥＤを点灯する点灯制御手段を備える。【選択図】図１
2005024219.tif 000002
【特許請求の範囲】
【請求項１】
加熱手段による加熱調理の実行時間を設定する調理時間設定スイッチと、該実行時間を初期値として減算計時を行う調理タイマと、該調理タイマの計時時間に応じて加熱調理の残時間を表示する残時間表示手段とを有して、前記調理タイマによる計時の開始から前記調理タイマの計時時間がゼロとなるまでの間、前記加熱手段を作動させ、前記調理タイマの計時時間がゼロとなったときに前記加熱手段を停止するタイマ調理運転を実行するタイマ装置を備えた加熱調理器において、
前記調理時間設定スイッチは、加熱調理の実行時間を予め定められた複数の選択時間のいずれかに設定し、
前記残時間表示手段は、前記各選択時間に対して個別に設けられた単灯ランプと、前記調理時間設定スイッチが操作されたときは、該操作により設定された選択時間に対応した前記単灯ランプを点灯又は点滅し、前記タイマ調理運転の実行中においては、前記調理タイマの計時時間が前記各選択時間に至った時に、該至った選択時間に対応した前記単灯ランプを点灯又は点滅する点灯制御手段とからなることを特徴とするタイマ装置を備えた加熱調理器。
【請求項２】
前記タイマ調理運転の実行中に前記調理時間設定スイッチが操作されたときに、該操作により設定された新たな実行時間を初期値として、前記調理タイマによる計時を開始させるタイマ調理時間変更手段を備えたことを特徴とする請求項１記載のタイマ装置を備えた加熱調理器。
【請求項３】
所定の上限時間を初期値として前記加熱手段の作動開始時点から減算計時を行う消し忘れ防止タイマと、前記タイマ調理運転を実行するタイマ調理モードと前記消し忘れ防止タイマの計時時間がゼロとなったときに前記加熱手段の作動を停止する消し忘れ防止調理モードとを切換えるモード切換スイッチとを有して、
前記点灯制御手段は、前記消し忘れ防止調理モードにおいては、前記消し忘れ防止タイマの計時時間が前記各選択時間に至った時に、該至った選択時間に対応した前記単灯ランプを点灯又は点滅し、
前記タイマ調理モードにおいて前記消し忘れ防止タイマの計時時間が前記選択時間の最長時間以下となったときに、前記モード切換スイッチによる前記消し忘れ防止調理モードへの切換を禁止するモード切換禁止手段を備えたことを特徴とする請求項１又は請求項２記載のタイマ装置を備えた加熱調理器。
【発明の詳細な説明】
【技術分野】
【０００１】
本発明は、加熱調理の実行時間を設定するタイマ装置を備えた加熱調理器に関する。
【背景技術】
【０００２】
従来より、例えばグリルを備えたガステーブルにおいて、使用者により設定された時間が経過するまでグリルバーナによる加熱調理を実行する所謂タイマ調理機能を備えたものが知られている（例えば、特許文献１参照）。
【０００３】
かかるガステーブルの操作パネルには、図６を参照して、タイマ調理の実行時間を設定するプラスキースイッチ１００及びマイナスキースイッチ１０１と、これらのスイッチの操作に応じたタイマ調理の設定時間を表示すると共に、タイマ調理の実行中には、加熱調理の残時間を表示する２桁の７セグメントＬＥＤ１０２とが備えられている。
【０００４】
このように、プラスキースイッチ１００及びマイナスキースイッチ１０１と７セグメントＬＥＤ１０２とを備えることにより、使用者は、タイマ調理の実行時間を例えば１分単位で細かく設定することができ、また、加熱調理の残時間を詳細に知ることができる。しかし、７セグメントＬＥＤ１０２は比較的高価であると共に、表示内容を制御するために必要なインターフェースの出力点数も多い。そのため、７セグメントＬＥＤ１０２を備えることによるガステーブルのコストアップが大きいという不都合があった。
【０００５】
また、前記テーブルこんろにおいては、グリルバーナ点火時にタイマ調理の実行時間の初期値として８（分）が７セグメントＬＥＤ１０２に表示され、使用者は、プラスキースイッチ１００又はマイナスキースイッチ１０１を操作して、所望のタイマ調理の実行時間を設定する仕様となっている。そして、この仕様の場合、例えばタイマ調理の実行時間を３分に設定するときには、使用者はマイナスキースイッチ１０１を５回押さなければならず、操作が面倒であった。
【特許文献１】特開平９−７２５４８号公報
【発明の開示】
【発明が解決しようとする課題】
【０００６】
本発明は上記背景を鑑みてなされたものであり、タイマ調理の実行時間を表示する手段のコストを抑制すると共に、タイマ調理の実行時間の設定を容易にしたタイマ装置を備えた加熱調理器を提供することを目的とする。
【課題を解決するための手段】
【０００７】
本発明は上記目的を達成するためになされたものであり、加熱手段による加熱調理の実行時間を設定する調理時間設定スイッチと、該実行時間を初期値として減算計時を行う調理タイマと、該調理タイマの計時時間に応じて加熱調理の残時間を表示する残時間表示手段とを有して、前記調理タイマによる計時の開始から前記調理タイマの計時時間がゼロとなるまでの間、前記加熱手段を作動させ、前記調理タイマの計時時間がゼロとなったときに前記加熱手段を停止するタイマ調理運転を実行するタイマ装置を備えた加熱調理器の改良に関する。
【０００８】
そして、前記調理時間設定スイッチは、加熱調理の実行時間を予め定められた複数の選択時間のいずれかに設定し、前記残時間表示手段は、前記各選択時間に対して個別に設けられた単灯ランプと、前記調理時間設定スイッチが操作されたときは、該操作により設定された選択時間に対応した前記単灯ランプを点灯又は点滅し、前記タイマ調理運転の実行中においては、前記調理時間タイマの計時時間が前記各選択時間に至った時に、該至った選択時間に対応した前記単灯ランプを点灯又は点滅する点灯制御手段とからなることを特徴とする。
【０００９】
かかる本発明によれば、前記タイマ調理運転の実行時間が、予め定められた複数の前記選択時間のいずれかに設定され、選択された実行時間及び前記タイマ調理運転の残時間が、前記複数の選択時間に応じて個別に設けられた前記単灯ランプによって表示される。
【００１０】
そのため、例えば、前記選択時間を４段階に設定するときは、比較的安価な前記単灯ランプを４個用意すればよく、高価な７セグメントＬＥＤを使用する場合に比べて、前記残時間表示手段のコストを下げることができる。また、前記複数の選択時間をある程度幅を持たせて設定することにより、前記タイマ調理運転の実行時間の変更幅が比較的大きい場合であっても、必要となる前記調理時間設定スイッチの操作回数を減少させて前記タイマ調理運転の実行時間を容易に変更することができる。
【００１１】
また、前記タイマ調理運転の実行中に前記調理時間設定スイッチが操作されたときに、該操作により設定された新たな実行時間を初期値として、前記調理タイマによる計時を開始させるタイマ調理時間変更手段を備えたことを特徴とする。
【００１２】
かかる本発明によれば、前記タイマ調理運転の実行中におけるタイマ調理運転の実行時間の変更を、前記複数の選択時間単位で容易に行うことができる。
【００１３】
また、所定の上限時間を初期値として前記加熱手段の作動開始時点から減算計時を行う消し忘れ防止タイマと、前記タイマ調理運転を実行するタイマ調理モードと前記消し忘れ防止タイマの計時時間がゼロとなったときに前記加熱手段の作動を停止する消し忘れ防止調理モードとを切換えるモード切換スイッチとを有して、前記点灯制御手段は、前記消し忘れ防止調理モードにおいては、前記消し忘れ防止タイマの計時時間が前記各選択時間に至った時に、該至った選択時間に対応した前記単灯ランプを点灯又は点滅し、前記タイマ調理モードにおいて前記消し忘れ防止タイマの計時時間が前記選択時間の最長時間以下となったときに、前記モード切換スイッチによる前記消し忘れ防止調理モードへの切換を禁止するモード切換禁止手段を備えたことを特徴とする。
【００１４】
かかる本発明によれば、前記モード切換スイッチにより前記タイマ調理モードから前記消し忘れ防止調理モードに切換えられると、前記点灯制御手段により前記単灯ランプに表示される加熱手段の作動停止までの残時間の対象が、前記調理タイマから前記消し忘れ防止タイマに切換わる。そのため、前記消し忘れ防止タイマの計時時間が前記選択時間の最長時間以下であるときに、前記タイマ調理モードから前記消し忘れ防止調理モードに切換えると、それまで前記単灯ランプにより表示されていた残時間が急に増加（調理タイマの計時時間＜消し忘れ防止タイマの計時時間である場合）、又は減少（調理タイマの計時時間＞消し忘れ防止タイマの計時時間である場合）するときがあり、使用者に違和感を与えてしまう。
【００１５】
そこで、本発明では、前記タイマ調理モードにおいて前記消し忘れ防止タイマの計時時間が前記選択時間の最長時間以下となったときには、前記モード切換禁止手段により前記モード切換スイッチによる前記消し忘れ防止調理モードへの切換を禁止している。そして、これにより、タイマ調理モードを解除したにもかかわらず、それまで前記単灯ランプに表示されていた前記加熱手段の停止までの残時間が急に増減して、使用者に違和感を与えることを防止することができる。
【発明を実施するための最良の形態】
【００１６】
本発明の実施の形態の一例について、図１〜図５を参照して説明する。図１はガステーブルの前面図及び操作パネルの詳細図、図２は図１に示したガステーブルの制御ブロック図、図３及び図４はタイマ調理の実行時間の設定フローチャート、図５は調理時間の残時間表示の切換えタイミングを示したタイミングチャートである。
【００１７】
図１（ａ）を参照して、本実施の形態のガステーブルＡ（本発明の加熱調理器に相当する）は、上面に右こんろ１及び左こんろ２を備え、前面に両面焼きタイプのグリル３を備えている。さらに、ガステーブルＡの前面には、右こんろ１の点火／消火スイッチ４、左こんろ２の点火／消火スイッチ５、グリル３の点火／消火スイッチ６、右こんろ１の火力調整つまみ１０、左こんろ２の火力調整つまみ１１、グリル３の上方バーナ（図示しない）の火力調整つまみ１２、グリル３の下方バーナ（図示しない）の火力調整つまみ１３、及び各種のスイッチとＬＥＤが設けられた操作パネル１４が供えられている。
【００１８】
また、ガステーブルＡは、設定時間が経過するまでグリル３による加熱調理を実行するタイマ調理運転を行う機能を有している。そして、図１（ｂ）を参照して、操作パネル１４には、該タイマ調理運転の実行時間の設定等を行うためのグリルスイッチ１９（本発明の調理時間設定スイッチ及びモード切換スイッチに相当する）と、タイマ調理運転の実行時間の設定や残時間等を表示するタイマ時間表示部２０（１分ＬＥＤ２１，３分ＬＥＤ２２，６分ＬＥＤ２３，９分ＬＥＤ２４、各ＬＥＤは本発明の単灯ランプに相当する）と、タイマ調理運転の実行が解除された状態にあるときに点灯する解除ＬＥＤ２５とが備えられている。
【００１９】
次に、図２を参照して、グリル３は、その内部が魚等の調理物Ｆを載置するグリル庫３０となっており、グリル庫３０の天井には燃焼面が下方に向けられた上方バーナ３１（本発明の加熱手段に相当する）が設けられ、また、グリル庫３０の両側の側壁下部には炎口が内方に向けられた下方バーナ３２（本発明の加熱手段に相当する）が設けられている。また、上方バーナ３１には主ガス供給管３３から分岐した上方バーナ用ガス供給管３４が接続され、下方バーナ３２には下方バーナ用ガス供給管３５が接続されている。
【００２０】
また、左こんろ２には左こんろバーナ３６が設けられて、主ガス供給管３３から分岐した左こんろ用ガス供給管３７が接続されている。また、右こんろ１には右こんろバーナ３８が設けられて、主ガス供給管３３から分岐した右こんろ用ガス供給管３９が接続されている。
【００２１】
主ガス供給管３３から上方バーナ用ガス供給管３４及び下方バーナ用ガス供給管３５への分岐点の上流側には、上方バーナ３１と下方バーナ３２に対する燃料ガスの供給／遮断を切換える電磁弁４０が設けられている。また、上方バーナ用ガス供給管３４には火力調節つまみ１２（図１（ａ）参照）により機械的に開度が可変する火力調節弁（図示しない）が設けられ、下方バーナ用ガス供給管３５には火力調節つまみ１３（図１参照（ａ）参照）により機械的に開度が可変する火力調節弁（図示しない）が設けられている。
【００２２】
また、左こんろ用ガス供給管３７には、左こんろバーナ３６に対する燃料ガスの供給／遮断を切換える電磁弁４１と、火力調節つまみ１１（図１（ａ）参照）により機械的に開度が可変する火力調節弁（図示しない）とが設けられている。また、右こんろ用ガス供給管３９には、右こんろバーナ３８に対する燃料ガスの供給／遮断を切換える電磁弁４２と、火力調節つまみ１０（図１（ａ）参照）により機械的に開度が可変する火力調節弁（図示しない）とが設けられている。
【００２３】
さらに、上方バーナ３１，下方バーナ３２，左こんろバーナ３６，及び右こんろバーナ３８には、それぞれ、点火電極４３，４４，４５，４６及び各バーナの燃焼状態を検知するための熱電対４７，４８，４９，５０が設けられている。また、右こんろ１には、調理容器Ｐ１の底部の温度を検出する温度センサ５１が設けられ、右こんろ１においては、温度センサ５１の検出温度に基づいて右こんろバーナ３８の火力を制御する温調調理が実行される。
【００２４】
ガステーブルＡは、右こんろ１，左こんろ２，及びグリル３の燃焼動作を制御するコントローラ６０を備えている。コントローラ６０は、マイクロコンピュータやメモリ等により構成される電子ユニットであり、右こんろ１と左こんろ２とグリル３の燃焼動作を制御する燃焼制御手段６１、調理タイマ６２、消し忘れ防止タイマ６３、点灯制御手段６４、モード切換禁止手段６５、及びタイマ調理時間変更手段６６を備えている。
【００２５】
調理タイマ６２は、グリルスイッチ１９の操作により設定されたタイマ調理の実行時間を初期値として減算計時を行う。また、消し忘れ防止タイマ６３は、上方バーナ３１と下方バーナ３２の点火が検知されたときに、予め定められた上限時間を初期値として減算計時を行う。ここで、本実施形態の加熱調理器では、グルリ３の燃焼動作時は、上方バーナ３１と下方バーナ３２の両面燃焼を行うようにしており、上記消し忘れ防止タイマ６３の上限時間（初期値）を例えば１５分としている。なお、上方バーナと下方バーナのいずれか一方の片面燃焼を行うグリルを備えた加熱調理器では、消し忘れ防止タイマ６３の上限時間（初期値）は両面燃焼のものよりも多少長い時間（例えば２１分）に設定される。
【００２６】
燃焼制御手段６１は、グリル３の作動モードを「タイマ調理モード」と「消し忘れ防止調理モード」とに切換えて上方バーナ３１と下方バーナ３２の燃焼動作を制御し、「タイマ調理モード」においては、調理タイマ６２の計時時間（Ｃ_cnt）がゼロとなったときに電磁弁４０を閉弁して上方バーナ３１と下方バーナ３２の燃焼を停止する「タイマ調理運転」を実行する。
【００２７】
また、「消し忘れ防止調理モード」においては、燃焼制御手段６１は、消し忘れ防止タイマ６３の計時時間（Ｆ_cnt）がゼロとなったときに電磁弁４０を閉弁して上方バーナ３１と下方バーナ３２の燃焼を停止する「消し忘れ防止調理運転」を実行する。そして、これにより、使用者がグリル３の消火操作を忘れたときに、強制的に上方バーナ３１と下方バーナ３２の燃焼を停止するようにしている。
【００２８】
次に、グリル３によるタイマ調理運転の実行手順について、上方バーナ３１と下方バーナ３２を共に作動させる両面焼きの場合を例として説明する。使用者がグリル３の点火／消火スイッチ６（図１（ａ）参照）を操作してグリル３の点火を指示すると、燃焼制御手段６１は、点火電極４３，４４に高電圧を印加して火花放電を生じさせた状態で電磁弁４０を開弁し、上方バーナ３１と下方バーナ３２の点火処理を行う。
【００２９】
そして、熱電対４７，４８の出力から上方バーナ３１と下方バーナ３２の点火を検知したときに、消し忘れ防止タイマ６３は、１５分を初期設定として、減算計時を開始する。なお、上方バーナと下方バーナのいずれか一方の片面燃焼を行うグリルを備えた加熱調理器では、消し忘れ防止タイマは例えば２１分（両面燃焼の場合よりも多少長い時間）を初期設定として、減算計時を開始する。また、初期設定として「タイマ調理モード」となり、９分を初期設定として調理タイマ６２による減算計時を開始する。このとき、点灯制御手段６４は９分ＬＥＤ２４を点灯し、これにより、上方バーナ３１と下方バーナ３２に着火されたこと、及びタイマ調理運転の実行時間が９分に設定されたことを報知する。
【００３０】
図３及び図４は、上方バーナ３１及び下方バーナ３２の点火が検知された後のタイマ調理運転の実行時間の変更手順を示したフローチャートであり、点灯制御手段６４は、先ず、ＳＴＥＰ１で上述したように９分ＬＥＤ２４を点灯し、続くＳＴＥＰ３で調理タイマ６２は９分を初期値として減算計時を開始する。そして、初期設定として「タイマ調理モード」となり、燃焼制御手段６１は、調理タイマ６２の計時時間がゼロとなるまで上方バーナ３１及び下方バーナ３２の燃焼を継続し、該計時時間がゼロとなったときに上方バーナ３１及び下方バーナ３２の燃焼を停止する「タイマ調理運転」の実行を開始する。
【００３１】
次のＳＴＥＰ４及びＳＴＥＰ５は、モード切換禁止手段６５による処理であり、モード切換禁止手段６５は、ＳＴＥＰ４で消し忘れ防止タイマ６３の計時時間が９分以下であるか否かを判断する。そして、消し忘れ防止タイマ６３の計時時間が９分を超えているときは、ＳＴＥＰ５に進み、燃焼制御手段６１は、グリル３の作動モードを「タイマ調理モード」から「消し忘れ防止調理モード」に切換わる。一方、ＳＴＥＰ４で、消し忘れ防止タイマ６３の計時時間が９分以下であったときには、ＳＴＥＰ７に分岐し、「タイマ調理モード」が維持される。
【００３２】
具体的には、モード切換禁止手段６５は、モード切換フラグ（ｍ_chg）をＯＮ／ＯＦＦを切換えることにより、燃焼制御手段６１に対して「消し忘れ防止調理モード」への切換えの許可と禁止を指示する。
【００３３】
ここで、「消し忘れ防止調理モード」においては、図５の（ａ）に示したように、上方バーナ３１及び下方バーナ３２の点火時（ｔ０）から１５分が経過した時（ｔ５）に、燃焼制御手段６１は上方バーナ３１及び下方バーナ３２の燃焼を停止する。
【００３４】
そして、点灯制御手段６４は、使用者にグリル３による加熱調理の終了までの残時間を使用者に報知する「調理残時間表示」を行う。具体的には、点灯制御手段６４は、消し忘れ防止タイマ６３の計時時間が９分，６分，３分，１分となったときに、９分ＬＥＤ２４，６分ＬＥＤ２３，３分ＬＥＤ２２，及び１分ＬＥＤ２１を順次点灯する（「９分ＬＥＤ２４点灯」→「６分ＬＥＤ２３点灯」→「３分ＬＥＤ２２点灯」→「１分ＬＥＤ２１点灯」）。
【００３５】
さらに、点灯制御手段６４は、消し忘れ防止タイマ６３の計時時間が３０秒となったときに１分ＬＥＤ２１を点滅すると共にブザー（図示しない）を鳴動し、消し忘れ防止タイマ６３の計時時間が０秒となったときに時間表示部２０の全てのＬＥＤを点灯すると共にブザーを鳴動する。
【００３６】
また、「タイマ調理モード」においても、点灯制御手段６４は、調理タイマ６２の計時時間が９分，６分，３分，１分となったときに、９分ＬＥＤ２４，６分ＬＥＤ２３，３分ＬＥＤ２２，及び１分ＬＥＤ２１を順次点灯する。さらに、点灯制御手段６４は、調理タイマ６２の計時時間が３０秒となったときに１分ＬＥＤ２１を点滅すると共にブザー（図示しない）を鳴動し、調理タイマ６２の計時時間が０秒となったときに時間表示部２０の全てのＬＥＤを点灯すると共にブザーを鳴動する。
【００３７】
そして、この場合、図５の（ｂ）に示したように、消し忘れ防止タイマ６３の計時時間が９分以下となる前（ｔ２以前）であれば、「タイマ調理モード」から「消し忘れ防止調理モード」に切換えても問題は生じない。しかし、図５（ｃ）に示したように、消し忘れ防止タイマ６３の計時時間が９分以下となった後（ｔ２以降）に、「タイマ調理モード」から「消し忘れ防止調理モード」に切換えたときには、時間表示部２０における調理残時間の点灯表示が不自然なものとなる。
【００３８】
例えば、「タイマ調理モード」における調理タイマ６２の計時時間が１分であって１分ＬＥＤ２１が点灯された状態で、「タイマ調理モード」から「消し忘れ防止調理モード」に切換えたときに（ｔ３）、消し忘れ防止タイマ６３の計時時間が７分であったときには、１分ＬＥＤが消灯して９分ＬＥＤ２４が点灯する。この場合、使用者は「タイマ調理モード」を解除する操作をしたにも拘わらず、結果的にはタイマ調理運転の実行時間を変更する操作をしたことと同じになり、使用者に違和感を与えてしまう。
【００３９】
そこで、ＳＴＥＰ４で、消し忘れ防止タイマ６３の計時時間が９分以下となったときには、ＳＴＥＰ７に分岐して、「消し忘れ防止調理モード」への切換を禁止することにより、上述した時間表示部２０により不自然な時間表示がなされることを防止している。
【００４０】
ＳＴＥＰ６〜図４のＳＴＥＰ１４は、タイマ調理の実行時間の変更処理であり、ＳＴＥＰ６でグリルスイッチ１９が操作されると、ＳＴＥＰ７に進んで点灯制御手段６４により１分ＬＥＤ２１が点灯され、ＳＴＥＰ８でタイマ調理時間変更手段６６は１分を初期値として調理タイマ６２による減算計時を開始させる。
【００４１】
また、続く図４のＳＴＥＰ９でグリルスイッチ１９が操作されると、ＳＴＥＰ１０に進んで点灯制御手段６４により３分ＬＥＤ２２が点灯され、ＳＴＥＰ１１でタイマ調理時間変更手段６６は３分を初期値として調理タイマ６２による減算計時を開始させる。また、ＳＴＥＰ１２でグリルスイッチ１９が操作されると、ＳＴＥＰ１３に進んで点灯制御手段６４により６分ＬＥＤ２３が点灯され、ＳＴＥＰ１４でタイマ調理時間変更手段６６は６分を初期値として調理タイマ６２による減算計時を開始させる。そして、次のＳＴＥＰ１５でグリルスイッチ１９が操作されたときに、図３のＳＴＥＰ１に戻る。
【００４２】
以上説明した図３及び図４のフローチャートを実行することにより、消し忘れ防止タイマ６３の計時時間が９分を超えているときには、グリルスイッチ１９を操作するごとに、時間表示部２０において点灯されるＬＥＤが、「９分ＬＥＤ２４」→「時間表示部２０の全ＬＥＤ消灯（タイマ調理モードから消し忘れ防止調理モードへの切換、解除ＬＥＤ２５点灯）」→「１分ＬＥＤ２１」→「３分ＬＥＤ２２」→「６分ＬＥＤ２３」→…、と切換わる。
【００４３】
そして、点灯するＬＥＤに応じた時間を初期値として調理タイマ６２の減算計時が開始される。そのため、使用者は、グリルスイッチ１９という１個のスイッチの簡易な操作により、タイマ調理の実行時間（図２中、Ｃ_tm）を変更することができる。
【００４４】
また、消し忘れ防止タイマ６３の計時時間が９分以下であるときには、グリルスイッチ１９を操作するごとに、時間表示部２０において点灯されるＬＥＤが、「９分ＬＥＤ２４」→「１分ＬＥＤ２１」→「３分ＬＥＤ２２」→「６分ＬＥＤ２３」→…、と切換わり、「消し忘れ防止調理モード」への切換が禁止される。
【００４５】
そのため、上述した時間表示部２０に不自然な表示がなされることを防止して、タイマ調理の実行時間を容易に変更することができる。そして、この場合、グリルスイッチ１９の他に、グリルの作動モードを切換えるためのスイッチを別個に設ける必要がないため、操作パネル１４のコストダウンとスイッチの設置スペースの縮小を図ることができる。
【００４６】
また、単灯のＬＥＤ（１分ＬＥＤ２１，３分ＬＥＤ２２，６分ＬＥＤ２３，９分ＬＥＤ２４）を用いて、タイマ調理運転の設定時間と、タイマ調理運転及び「消し忘れ防止モード」における調理の残時間との表示を行うことにより、７セグメントＬＥＤを用いてこれらの時間を表示する場合よりも、コストを低減することができる。
【００４７】
なお、タイマ調理運転の設定時間と、タイマ調理運転及び「消し忘れ防止モード」における調理の残時間とは単灯ランプの発光色を異ならせて区別してもよく、あるいは、点灯（連続的な発光）と点滅（間欠的な発光）とで区別するようにしてもよい。
【００４８】
また、本実施の形態では、本発明の加熱調理器として、テーブルこんろＡに本発明を適用した例を示したが、本発明の適用対象はこれに限られず、ガスオーブン等の他の種類のガス調理器や、電気調理器に対しても本発明を適用することができる。
【図面の簡単な説明】
【００４９】
【図１】ガステーブルの前面図及び操作パネルの詳細図。
【図２】図１に示したガステーブルの制御ブロック図。
【図３】タイマ調理運転の実行時間の設定フローチャート。
【図４】タイマ調理運転の実行時間の設定フローチャート。
【図５】調理時間の残時間表示の切換タイミングを示したタイミングチャート。
【図６】従来のガステーブルの操作パネルの詳細図。
【符号の説明】
【００５０】
Ａ…ガステーブル、１…右こんろ、２…左こんろ、３…グリル、１４…操作パネル、１９…グリルスイッチ、６０…コントローラ、６２…調理タイマ、６３…消し忘れ防止タイマ、６４…点灯制御手段、６５…モード切換禁止手段
【図１】
2005024219.tif 000003
【図２】
2005024219.tif 000004
【図３】
2005024219.tif 000005
【図４】
2005024219.tif 000006
【図５】
2005024219.tif 000007
【図６】
2005024219.tif 000008